(57)【特許請求の範囲】
【請求項１】
ＰＯＳ端末と、
このＰＯＳ端末の制御により動作するレシートプリンタと、
外部電源からの電力を前記ＰＯＳ端末と前記レシートプリンタに供給する電源装置と、
前記電源装置により充電されるバッテリと、
前記ＰＯＳ端末において、一取引の商品売上に関する締めを示すキーが押され、前記ＰＯＳ端末と前記レシートプリンタが同時に動作する場合、前記レシートプリンタは前記電源装置からの電力供給、前記ＰＯＳ端末は前記バッテリからの電力供給でそれぞれ動作させるとともに、前記バッテリへの充電を一時停止する電力制御手段と、
を有することを特徴とする電子機器。
【請求項２】
前記バッテリは、外部電源装置からの電力供給が途絶えた場合、前記電子機器本体のバックアップを行うための電力を供給することを特徴とする請求項１記載の電子機器。
【請求項３】
外部から電力供給を受ける電源装置で前記ＰＯＳ端末に電力を供給し、
前記電源装置で前記ＰＯＳ端末に備えられたバッテリに充電し、
前記ＰＯＳ端末において、一取引の商品売上に関する締めを示すキーが押され、前記ＰＯＳ端末で制御される前記レシートプリンタが同時に動作する場合、前記レシートプリンタは前記電源装置からの電力供給、前記ＰＯＳ端末は前記バッテリからの電力供給でそれぞれ動作させるとともに、前記バッテリへの充電を一時停止することを特徴とする電子機器の駆動方法。
【発明の詳細な説明】
【技術分野】
【０００１】
本発明の実施形態は、本体および周辺機器を一つの電源装置で駆動する電子機器および電子機器の駆動方法に関する。
【背景技術】
【０００２】
一般にＰＯＳ端末のような電子機器では、周辺機器としてレシートプリンタが接続され、客が購入した商品の明細をレシート用紙にレシートプリンタで印字してレシートとして発行して客に渡している。このようなＰＯＳ端末では、端末本体とレシートプリンタが、商用電源に接続される一つの電源装置によって電力供給されて動作するものがある。
【０００３】
また、ＰＯＳ端末内にバッテリを備え、商用電源が途絶えたときにつまりは停電時にバッテリから電力を供給して動作中のデータをバックアップするものがある。
【先行技術文献】
【特許文献】
【０００４】
【特許文献１】特開２０１０−２８０１９９号公報
【発明の概要】
【発明が解決しようとする課題】
【０００５】
ＰＯＳ端末とレシートプリンタとを一つの電源装置を用いて駆動するような場合には、ＰＯＳ端末とレシートプリンタとがそれぞれ独立して動作できるように、これらを同時に駆動することができる電力を供給可能な電源装置がＰＯＳ端末に備えられている。このため電源装置の容量が大きい、つまり高価な電源を用いることから、製品コストが高くなる。
【０００６】
そこで、この実施の形態においては、一つの電源装置の電力供給で電子機器本端および周辺機器を動作させるものにおいて、電子機器本体および周辺機器を同時に駆動する時に必要な電力量よりも少ない電力量の電源装置で、電子機器本体および周辺機器を使用可能な電子機器を提供することを目的とする。
【課題を解決するための手段】
【０００７】
この実施の形態においては、ＰＯＳ端末と、このＰＯＳ端末の制御により動作するレシートプリンタと、外部電源からの電力を前記ＰＯＳ端末と前記レシートプリンタに供給する電源装置と、前記電源装置により充電されるバッテリと、前記ＰＯＳ端末において、一取引の商品売上に関する締めを示すキーが押され、前記ＰＯＳ端末と前記レシートプリンタが同時に動作する場合、前記レシートプリンタは前記電源装置からの電力供給、前記ＰＯＳ端末は前記バッテリからの電力供給でそれぞれ動作させるとともに、前記バッテリへの充電を一時停止する電力制御手段と、を有する電子機器とした。
【図面の簡単な説明】
【０００８】
【図１】この実施の形態のＰＯＳ端末の電気的接続を示すブロック図。
【図２】このＰＯＳ端末が実行するプログラムのフローチャート。
【図３】このＰＯＳ端末が実行するプログラムのフローチャート。
【発明を実施するための形態】
【０００９】
以下、図１ないし図３を用いて、この実施の形態の電子機器としてのＰＯＳ（Ｐｏｉｎｔ  ｏｆ  Ｓａｌｅｓ）端末１を説明する。図１はこの実施の形態のＰＯＳ端末１の電気的接続を示すブロック図、図２はこのＰＯＳ端末１が実行するプログラムのフローチャート、図３はＰＯＳ端末１が実行するプログラムの図２に続くフローチャートである。なお、図１でＰＯＳ端末１を二点差線で囲って示し、電源供給線を実線で、制御信号線を破線で示す。
【００１０】
この実施の形態のＰＯＳ端末１は、レシートプリンタ２が例えばＵＳＢ（Ｕｎｉｖｅｓａｌ  Ｓｅｒｉａｌ  Ｂｕｓ）で接続されている。ＰＯＳ端末１内には、商用電源などの外部電源に接続され交流から直流に変換する電源装置３が設けられる。この電源装置３には停電検出回路４が接続され、停電検出回路4が外部電源が停止されたこと、すなわち停電を検出する。この停電検出回路４に、第１切替回路５を介してレシートプリンタ２が接続される。また停電検出回路４は、第２切替回路６の入力側の第１端子６ａに接続され、この第２切替回路の出力側は三次側電源装置７が接続される。また、第２切替回路６の出力側は、第３切替回路８を介してバッテリ９を充電するための充電回路１０が接続されている。三次側電源装置７は、ＰＯＳ端末１の制御部１１に電源を供給する。バッテリ９の直流電源の出力は、第２切替回路６の入力側の第２端子６ｂに接続され、例えば停電時のバックアップを行うときには、第２切替回路６が外部電源（第１端子６ａ）側からバッテリ９（第２端子６ｂ）側に切り替えられる。なお、一例として、電源装置３は２４ボルトの電圧を出力し、三次側電源装置は５ボルトの電圧を出力する。
【００１１】
制御部１１は、ＣＰＵ（Ｃｅｎｔｒａｌ  Ｐｒｏｃｅｓｓｉｎｇ  Ｕｎｉｔ）１２にバスライン１３を介してＲＯＭ（Ｒｅａｄ  Ｏｎｌｙ  Ｍｅｍｏｒｙ）１４、ＲＡＭ（Ｒａｎｄｏｍ  Ａｃｃｅｓｓ  Ｍｅｍｏｒｙ）１５、表示部１６、ハードディスク装置（ＨＤＤ：Ｈａｒｄ  Ｄｉｓｋ  Ｄｒｉｖｅ）１７、キー部１８、バーコードリーダ１９、Ｉ／Ｏ（Ｉｎｐｕｔ  Ｏｕｔｐｕｔ）部２０、プリンタ制御部２１が接続されて形成されている。ＲＯＭ１４には、ＰＯＳ端末１が起動時に必要とするバイオスなどを記憶する。ＲＡＭ１５は、書き換え可能な記憶領域で、このＰＯＳ端末１が処理を実行するワークエリアなどを有する。表示部１６は、このＰＯＳ端末１がバーコードリーダ１９で読み取ったバーコードで呼び出された商品情報を表示して、また、合計金額などを表示する。ハードディスク装置１７は、後述するフローチャートで示す処理のプログラムや、バーコードの対応した商品の品名や値段などを記憶する。キー部は１８、ＰＯＳ端末１に設けられた現計キー２２やテンキーなどのキーである。Ｉ／Ｏ部２０は、前述した停電検出回路からの信号を受けるとともに、第１切替回路５、第２切替回路６、第３切替回路８の切替を行う。プリンタ制御部２１は、レシートプリンタ２にデータを送信して印字を行わせる。
【００１２】
前述の停電検出回路４は、外部電源が停電したときに電源装置３の直流出力が出力されなくなることを検知して、停電が発生したことを制御部１１に通知する。第１切替回路５、第２切替回路６、第３切替回路８は、制御部１１の制御によって、その経路が切り替えられる。
【００１３】
なお、このＰＯＳ端末１は、汎用のＯＳ（Ｏｐｅｒａｔｉｎｇ  Ｓｙｓｔｅｍ）を用いているため、起動時にはかなりの時間がかかる。このために、レシート印字を行なうごとにＰＯＳ端末１の電源を落とすことは非常に非効率であることから、レシート印字のときにもＰＯＳ端末１のＣＰＵ１２やＲＯＭ１３、ＲＡＭ１４等が動作するように通電しておく必要がある。一方、レシートプリンタ２は、電源を入れればほとんど待つことなく動作するために、使用時以外に通電しなくてもよい。ここで動作するとは、ＰＯＳ端末１では、例えばＣＰＵ１２が何らかの処理をし、ＯＳやアプリケーションソフトウェアが正常に動いている状態であり、レシートプリンタ２では、印字指令を受けてから排紙される状態までのモータや印字ヘッドが動いている状態をいう。
【００１４】
制御部１１は、図２、図３に示すフローチャートの処理を実行する。停電が発生したか否かを判断し（Ａｃｔ１）、停電が発生すれば、バッテリ９があるか否かを判断して（Ａｃｔ２）、バッテリ９があれば第２切替回路６を第２端子６ｂ側に切り替えて（Ａｃｔ３）、バッテリ９から制御部１１に電力が供給されるようにする。また、充電回路１０へのバッテリ９からの電流が流れないようにするため、第３切替回路８をオフする（Ａｃｔ４）。そして、バッテリ９から電力供給を受けているときに、処理中のデータを格納するなどのバックアップを行って（Ａｃｔ５）、このＰＯＳ端末１をシャットダウンする（Ａｃｔ６）。Ａｃｔ２でバッテリ９が無いと判断したならば、データのバックアップを行わずにシャットダウンして終了する。なお、バッテリ９があるか否かについての判断処理は、バッテリ９が物理的に接続されているか、あるいはバッテリ容量がバックアップするために十分蓄電されているかを確認するための処理である。
【００１５】
Ａｃｔ１で停電を検出しなければ、キー入力があったか否かを判断する（Ａｃｔ７）。キー入力が無ければ、バーコードを読み取ったか否かを判断する（Ａｃｔ８）。この処理はＰＯＳ端末１のバーコードリーダ１９で商品に付されたバーコードを読み取ったときの処理であり、読み取ったバーコードに対応する商品名や金額などの商品情報をハードディスク装置１７から呼び出す（Ａｃｔ９）。Ａｃｔ７でバーコード読取でなければ、他の処理を実行する（Ａｃｔ１０）。ここで他の処理とは、例えば電子マネー情報をＩＣカードから読み取って、客が購入する商品について決済することなどの、このＰＯＳ端末１が実行する各種の処理であるが、この実施の形態では説明を省略する。Ａｃｔ７でキー入力を検出したならば、その押されたキーが現計キー２２か否かを判断する（Ａｃｔ１１）。現計キー２２でなければ、他のキー処理を行う（Ａｃｔ１２）。他のキー処理とは、例えば客から預かった金額をテンキーで入力する場合の処理である。
【００１６】
Ａｃｔ１１で、現計キー２２が押されたと判断したならば、ＰＯＳ端末１で決済が終わり金銭の授受が行われる。この現計キー２２によりレシートプリンタ２での印字が指示される。ここで、レシートプリンタ２が印字を行う場合には、ＰＯＳ端末１も起動状態にあり、ＰＯＳ端末１とレシートプリンタ２が同時に動作することになる。そこで、第１切替回路をオンして（Ａｃｔ１３）電源装置３の電源をレシートプリンタ２に接続して、第２切替回路を第２端子６ｂに切り替えて（Ａｃｔ１４）、電源装置３から制御部１１への電力供給をバッテリ９からの電力供給にする。さらに第３切替回路をオフして（Ａｃｔ１５）充電回路１０への通電をやめる。この状態では、レシートプリンタ２には外部電源を電源装置３で直流に変換した二次側電圧が印加され、制御部１１へはバッテリ９から電力が供給されている。
【００１７】
そして、この状態でプリンタ制御部２１の制御によってレシートプリンタ２への印字を開始し（Ａｃｔ１６）、印字が終了するまで待つ（Ａｃｔ１７）。印字が終了したならば、第１切替回路をオフして（Ａｃｔ１８）レシートプリンタ２への通電をとめ、第２切替回路を第１端子６ａ側に切り替えて（Ａｃｔ１９）、バッテリ９で駆動していた制御部１１を電源装置３からの電力供給にする。また、第３切替回路８をオンして充電回路１０によるバッテリ９の充電を再開する。
【００１８】
このようなＰＯＳ端末１において、外部電源が正常な状態で電源がオンされると、外部電源からの電力供給を受けて制御部１１が制御を行うとともに、充電回路１０でバッテリ９に充電が行われる。このときには、第２切替回路６が第１端子６ａ側に接続され、第３切替回路８がオンされている。また、停電検出回路４で常に外部電源が供給されているか否かを監視し、もし外部電源が停止したならば、停電検出回路の出力により停電発生時の動作が行われる。つまり、第２切替回路６の第２端子６ｂに切り替えられて、制御部１１はバッテリ９から電源供給を受けるようにする。このときに、第３切替回路８はオフされて、充電回路１０への通電を遮断する。
【００１９】
ＰＯＳ端末１は、停電が発生していなければ売り上げ処理を行う。まず、キー入力があるか否かを判断し、キー入力が無ければ、バーコードリーダ１９で商品のバーコードが読み取ったか否かを判断する。バーコードを読み取ったならば、バーコードに対応するその商品の商品名、金額などの商品情報をハードディスク装置１７から読み出してＲＡＭ１５のワークエリアに保存する。また、キー入力が無くバーコードを読み取らなければ、他の処理を行う。キー入力があったなら、そのキーが現計キー２２であるか否かを判断する。現計キー２２でなければ、その入力されたキーに基づいたキー入力処理を行う。ここで、現計キー２２以外の処理としては、テンキーによる預かり金額の入力などがある。
【００２０】
現計キー２２が入力されると、一つの取引に対するすべての商品のバーコードが読み取られた結果の決済の終了（いわゆる「締め」）が宣言されたことなので、第１切替回路５をオンして、電源装置３からレシートプリンタ２に電源が供給される。また、第２切替回路６を第２端子６ｂ側に切り替えて、制御部１１にバッテリ９から電源が供給されるようにする。同時に、第３切替回路８をオフして充電電流が流れないようにする。そして、レシートプリンタ２で印字を行い、レシート用紙への印字が終了したならば、第１切替回路５をオフして、第２切替回路６を第１端子６ａ側に切替て、第３切替回路８をオンする。
【００２１】
このようにすることで、印字を行ってないときには、外部電源で制御部１１に通電するとともに、バッテリ９に充電を行う。印字を行うときには、外部電源でレシートプリンタ２を駆動するとともに、制御部１１はバッテリ９から電源供給を受けるようにすることで、電源装置３で制御部１１およびレシートプリンタ２に同時に給電することが無いため、制御部１１又はレシートプリンタ２のいずれかが使用する最大の容量に足りる容量の電源装置とすることができる。通常ＰＯＳ端末１では、バーコードリーダ１９でバーコードを読み取り始めてから現計キー２２を押すまでは、レシートプリンタ２で印字することは無く、レシートプリンタ２での印字を考慮する必要がなく、また、レシートプリンタ２で印字しているときに制御部１１は売り上げに関する処理が終わっているため、多くの電力を消費する制御を行うことがあまりないため、バッテリ９の電力で十分に動作できる。また、バッテリ９はバックアップに備えて常に充電状態にしておくのでなく、印字を行うときに放電を行うことから満充電状態が続くことが無いため、バッテリの寿命が長くなることが期待できる。
【００２２】
なお、この例ではレシートプリンタ２で印字するときに、バッテリ９で制御部１１に電力供給する説明をしたが、印字するときにＰＯＳ端末１のバックアップ用のバッテリ９でレシートプリンタ２に電力を供給して、制御部１１への電力供給は外部電源からの電力供給としてもよい。
【００２３】
また、この実施の形態では、電源装置３でレシートプリンタ２が動作可能な二次側の電圧に変換し、その後に三次側電源装置７で制御部１１に供給する電圧に変換しているが、電源装置３でレシートプリンタ２に供給する電圧と制御部１１に供給する電圧を形成する電源装置とすることも可能である。
【００２４】
この実施の形態では、ＰＯＳ端末１にレシートプリンタ２が接続されたもので説明したが、例えば、クレジットカードの処理装置にプリンタが接続されたものや、ＰＯＳ端末１に釣銭機が接続されたものにも適用できる。
【００２５】
このように、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２６】
１・・ＰＯＳ端末
２・・レシートプリンタ
３・・電源装置
４・・停電検出回路
７・・三次側電源装置
９・・バッテリ
１１・・制御部
２２・・現計キー
【図１】
0005367032.tif 000002
【図２】
0005367032.tif 000003
【図３】
0005367032.tif 000004